(57)【要約】      （修正有）【課題】補正具を用いることなく着崩れなく、襦袢の上半部のベスト型襦袢の形状で、衣紋抜きが出来、簡単に着用できるベスト型襦袢を提供。【解決手段】ベスト型襦袢Ｊは衿と左右の前身頃２と後身頃１０とを有し前身頃と後身頃とは脇位置で伸縮性の脇布４で接続され、右前身頃の表面と左前身頃の裏面は身丈の中間位置付近に面ファスナー５ａ５ｂ設け、後身頃の中央位置は衿の中央後面の下端から所定幅で帯布が後身頃の長さ方向に沿って設けられ、帯布はその長さ途中に複数の縫い目が縫合され、帯布の長さ方向に沿って両端が開き縫合線で区切られている通し部にベルト６が挿通され、ベルト６は身長に合わせ選択して通し、両端に面ファスナー６ａ６ｂが取付け、前身頃を重ねた時衿元が開くのをベルトにより防止する。帯布の下端の縫い目の下に少しだけ自由に延びた舌部が設けられ、さらに帯布による衣紋抜きを重ねて十分な衣紋抜きを可能。【選択図】図１
2009074204.tif 000002
【特許請求の範囲】
【請求項１】
首の周りを囲む衿１と、左右の前身頃２、２と、後身頃１０とを有し、前身頃２、２と後身頃１０とは脇位置で伸縮性の脇布４、４により所定長さの範囲で接続され、右の前身頃２の表面と左の前身頃２の裏面には、その身丈の中間位置付近に面接合する手段が設けられ、後身頃１０の中央位置には、衿１の中央後面の下端から所定幅で帯布７が後身頃１０の長さ方向に沿って所定長さに亘り設けられ、この帯布７は、その長さ途中に複数段の位置に縫い目７ａが縫合され、かつ帯布の長さ方向に沿って両端が開いており、この各段の縫合線で区切られている通し部７ｃにベルト６が挿通されて形成されたベスト型襦袢。
【請求項２】
前身頃と後身頃とは脇位置で伸縮性の脇布により所定長さの範囲で縫合、接続するように構成したことを特徴とする請求項１に記載のベスト型襦袢。
【請求項３】
前記面接合する手段を面ファスナー５ａ、５ｂとし、ベルト６は、通し部７ｃの複数段の位置のいずれかを身長に合わせて選択して通され、かつその両端に面ファスナー６ａ、６ｂが取り付けられ、前身頃２、２を重ねた状態で衿元が開くのをベルト６により防止することを特徴とする請求項１又は２に記載のベスト型襦袢。
【請求項４】
帯布７の下端には、最下段の縫い目７ａの下に少しだけ自由に延びた舌部７ｂが設けられ、ベルト６による衣紋抜きに対して、さらに帯布７による衣紋抜きを片手で重ねて十分な衣紋抜きを可能としたことを特徴とする請求項１乃至３のいずれかに記載のベスト型襦袢。
【発明の詳細な説明】
【技術分野】
【０００１】
この発明は、女性が着物を着る際に、着物の下に着用する襦袢の衿を備え、短時間に一人で簡単に着ることができ、かつ着物の着用中に着崩れすることなく、着物のシルエットを保持するベスト型襦袢に関する。
【背景技術】
【０００２】
女性の和服の着物は、日本人の民族衣装として美しく、気品を備えたものであるため、女性なら一度は着用してみたいと望むものであるが、一方で古来より長襦袢や沢山の紐、そしてその上に本来の着物を着、その上にさらに帯で締めるというのが伝統的な慣わしであるため、正式な着物の着付けは極めて難しく、簡単に着こなせる洋服が定着した現代では、特に若い世代の女性からは敬遠されがちであるが、着物は日本文化の誇りであり、品格のある伝統的な着物であるからこそ、多くの日本女性が若い世代に引き継いで欲しいと願うことである。この着物を着る際に、まず面倒と思われるのは長襦袢であり、これを着る際にも、多数の紐を結んで衿を揃える必要がある。そこで、この襦袢を合理化することについて種々提案がされている。
【０００３】
その１例として特許文献１の「着物」が公知である。この着物は、簡単に着ることができ、熟練を有しない人が着付けても衿元にしわができない外見上美しい着付けができるようにするためのものであり、「本衿の内側に本衿の上縁から一定幅で露出するように替衿の生地を互いに直交する緯糸と経糸が替衿の下縁の衿線に対して共に傾斜するようにし、替衿を本衿の内面又はその本衿の内面に縫着された伊達衿の内面に、面と面を合わせることにより止着される対面止着具で着脱自在に複数個所止着した」というものである。この着物に用いられる替衿は、替衿さえあれば長襦袢を着なくてもあたかも下に長襦袢を着ているかのように見せるためのものであり、長襦袢を着なくてもよい分だけ着付けが簡単になると共に、着付けられる枚数が少なくなる分だけ身体が締め付けられなくなるので着心地が良くなるとしている。
【０００４】
他の例として、特許文献２の「着付けが簡単な着物セット」が公知である。この着物セットは、「着付けが簡単な半襦袢であり、伸縮性前合わせ固着バンドを半襦袢後身頃胴部に具備したことで、半襦袢着用時の衿等前合わせを固着し着崩れを防止させ、さらに半襦袢共衿部に半衿を簡単きれいに係止させるための着脱自在テープを共衿の表裏面に、着脱自在テープを半衿の裏面に具備したことで、共衿と半衿が容易に固着でき、かつ着脱が容易に可能な構成の半襦袢」である。この半襦袢では、半衿が着脱自在であると共に、固着バンドにより半襦袢の前合わせを自在としている。
【０００５】
さらに別の例として、特許文献３の「簡易着付け長襦袢」が公知である。この長襦袢は、初心者でも正しく簡易に着付けができ、着崩れを防止する用具を用い、丸洗いのできる長襦袢を目的とし、「長襦袢の左右の衿先に上、下の符号を付し、その上辺部に短冊状平面ファスナーを設け、長襦袢の背内側に力布の下部に衿抜き用紐通し布に、一端に平面ファスナーを設けてなる２本の衿抜き用紐を平面ファスナーの位置が交互になるように揃えて通し、それぞれ紐の端部が、身八つ口から外に出して成る」簡易着付け長襦袢である。
【特許文献１】特開平０９−０３１７１６号公報
【特許文献２】特開２００１−０５５６０１号公報
【特許文献３】特開２００２−２８５４０２号公報
【発明の開示】
【発明が解決しようとする課題】
【０００６】
ところで、本来の襦袢は着用時の衿合わせ等の着崩れ、乱れを防止するために腰紐、伊達締め等で胴回りを巻きつけ、締め付けている。このため、着付けに熟練を要し、着用中は着崩れや乱れを自分で直すなど、着物に慣れていない人には大きな負担がかかり、煩わしく、このような種々の不都合を改良することを目的として、最も着付けの中で煩わしさが大きい襦袢の簡略な構成、着用方法について、上記特許文献１〜３では種々の工夫をしている。しかし、特許文献１の「着物」では、着物の外側に見える衿として替衿の上に伊達衿を取り付け、その上に本衿を設けて、二部式の着物の上衣に着用することを前提とし、この替衿を含む着物についての構成を「着物」と呼び、伊達衿の内面に着脱自在に対面止着具を取り付けて複数個所止着するように構成されている。
【０００７】
この「着物」では長襦袢を着用しないでよい分、着付けが簡単で、身体の締め付けが少なくなり、一見合理的に見えるが、上衣の半襦袢の袖がカットされた前身頃、後身頃に伊達衿、本衿を設け、汚れた時に取替えができる替衿を交叉して着用する際に、対面止着具により接合するが、これだけで着崩れを防止することは難しく、必ずしも着物の外見上のシルエットを確保する上では、有効ではない。また、上衣の着崩れを防止するために、結び紐を上衣に縫着し、この結び紐を結ぶことにより上衣を固定するとしているが、この紐の方式では固定が十分ではない。さらに、替衿の衿崩れを調整するために、後衿の調整紐を替衿の中央位置に縫合し、その紐の下部は下方に垂らしているが、このような調整紐では後衿の十分な調整ができない。
【０００８】
特許文献２の「着付けが簡単な着物セット」では、その半襦袢部に伸縮性前合わせ固着バンドを胴部に具備し、半衿を着脱自在に共衿に固着できるようにしているが、固着バンドで前合わせをしても、固着バンドと衿が連結されていないため、衿を真直ぐに立てる所謂衿抜きができず、固着バンドを占めるだけでは衿を美しく見せる状態を保持できない。また、半襦袢の形状は、肩から身頃まで延びる袖を有し、着物を羽織るとその下に袖が身頃まで伸びているために、美しい肩の形状を保持できないなど必ずしもシルエットや、着易さの点で満足できるものではない。
【０００９】
特許文献３の「簡易着付け長襦袢」は、衿を綺麗に見せるため裏側より衿幅いっぱいの衿芯を着脱自在に設け、左右の両衿先には身長の差、太った人、痩せた人などそれぞれ体型に合わせて、衿抜き用紐の接着紐位置を自由に調節できるよう、両衿先に短冊状の平面ファスナーを設け、その下方に上下の符号を付した布を縫い付けている。長襦袢の背面内側の力布の下部に衿抜き用通し布を設け、その通し布に紐の一端に平面ファスナーを付した紐２本を平面ファスナーの部分が交互になるように揃えた紐を通し、それぞれの端部は身八つ口から外側に出している。しかし、このような長襦袢では、前身頃を重ねた状態で紐２本のうちの１本を通してその端部を地衿の衿先に面着させて左右の前身頃を重ねた状態を保持するが、紐で引き付けているだけのため着崩れし易く、衿抜き用通し布を引くだけでは衿を常に正常な状態に保持し難い。又、現代の女性にはひもを蝶結びすることさえできない、又面倒と考える人が多い。
【００１０】
この発明の第１の課題は、上記の種々の問題に留意して、補正具を用いることなく着崩れしないで、衿を主として、少なくとも襦袢の上半部を有するベスト型の襦袢の形状とし、最小限の布素材を使用することにより外見上は伝統的な襦袢そのものを着用しているように見せ、かつ衣紋抜きを可能とし、紐を１本も使用せず、手の不自由な人や、紐を結ぶのが不得手な人でも他人に手伝ってもらうことなく自分で簡単に、スピーディーに着用でき、この襦袢の上に正式な着物を着用することを前提とする「簡単着物」がより着やすくなるようにし、女性の着物離れを防止するベスト型襦袢を提供する事である。
この発明の第２の課題は、上記のベスト型襦袢において、さらに着用する人の体型が大きい人、小さい人に拘らずこの襦袢１種類（ワンタイプ、万能型）で全て対応できるように仕立てされたベスト型襦袢を提供することである。
【課題を解決するための手段】
【００１１】
この発明は、上記の課題を解決する手段として、首の周りを囲む衿と、左右の前身頃と、後身頃とを有し、前身頃と後身頃とは脇位置で縫合され、右の前身頃の表面と左の前身頃の裏面には、その身丈の中間位置付近に面接合する手段が設けられ、後身頃の中央位置には、衿の中央後面の下端から所定幅で帯布が後身頃の長さ方向に沿って所定長さに亘り設けられ、この帯布は、その長さ途中に複数段の位置に縫い目が縫合され、かつ帯布の長さ方向に沿って両端が開いており、この各段の縫合線で区切られている通し部にベルトが挿通されて形成されたベスト型襦袢の構成としたのである。
上記ベスト型襦袢において、前身頃と後身頃とは脇位置で伸縮性の脇布により所定長さの範囲で縫合、接続するように構成してもよい。
【００１２】
上記の構成としたこの発明のベスト型襦袢では、紐を１本も使用せず、手の不自由な人や、紐を結ぶのが不得手な人でも他人に手伝ってもらうことなく自分で簡単に、スピーディーに着用でき、この襦袢の上に正式な着物を着用することを前提とする「簡単着物」がより着やすくなるようにしたものである。着用時には、腕通し口から腕を通し、まず襦袢を着用し、２枚の前身頃を合わせる。この時、その身丈の中間位置付近に面接合する手段を介して前身頃を重ねて互いに面接合し、襦袢の全体を身体に合わせて着用する。さらに、通し部に挿通されたベルトを互いに重ねて面接合して締めることにより衿を正しく位置させると共に、ベルトを締めることにより帯布を縦方向に引き下げて、衿の衣紋抜きをする。
【００１３】
なお、前記面接合する手段を面ファスナーとし、ベルトは、通し部の複数段の位置のいずれかを身長に合わせて選択して通され、かつその両端に面ファスナーが取り付けられ、前身頃を重ねた状態で衿元が開くのをベルトにより防止するようにすることができる。また、帯布の下端には、最下段の縫い目の下に少しだけ自由に延びた舌部が設けられ、ベルトによる衣紋抜きに対して、さらに帯布による衣紋抜きを片手で重ねて十分な衣紋抜きを可能とすることができる。
【００１４】
又、上記ベスト型襦袢において、前身頃と後身頃とは脇位置で伸縮性の脇布により所定長さの範囲で縫合、接続するように構成すると、着用する人の体型が大きい人、小さい人に拘らずこの襦袢１種類（ワンタイプ、万能型）の仕立で、全ての体型の人に対応できることとなる。従って、このようなワンタイプ、万能型、着用が極限まで簡素化されたベスト型襦袢を着用することができれば、益々着物を着たいと願う人の層が広がることとなる。
【発明の効果】
【００１５】
この発明のベスト型襦袢は、首の周りを囲む衿と、左右の前身頃と、後身頃とを有し、前身頃と後身頃とは脇位置で所定長さの範囲で接続され、右の前身頃の表面と左の前身頃の裏面には、その身丈の中間位置付近に面接合する手段が設けられ、後身頃の中央位置には、衿の中央後面の下端から所定幅で帯布が後身頃の長さ方向に沿って所定長さに亘り設けられ、この帯布は、その長さ途中に複数段の位置に縫い目が縫合され、かつ帯布の長さ方向に沿って両端が開いており、この各段の縫合線で区切られている通し部にベルトが挿通されて形成されたベスト型襦袢の構成としたから、衿を主とする襦袢であり、ベスト型の襦袢とすることにより少なくとも襦袢の上半部を有する形状とし、最小限の布素材を使用することにより外見上は伝統的な襦袢そのものを着用しているように見せ、かつベルトを締め付けることにより衣紋抜きを可能とし、紐を１本も使用せず、手の不自由な人や、紐を結ぶのが不得手な人でも他人に手伝ってもらうことなく自分で簡単に、スピーディーに着用でき、この襦袢の上に正式な着物を着用することを前提とする「簡単着物」がより着やすくなるという利点が得られる。
【００１６】
上記のベスト型襦袢において、前身頃と後身頃とを脇位置で伸縮性の脇布により所定長さの範囲で接続したもう１つの発明では、伸縮性の脇布により前身頃と後身頃が伸縮するため、着用する人の体型が大きい人、小さい人に拘らずこの襦袢１種類で全て対応できるように仕立てされ、ワンタイプ、万能型、着用が極限まで簡素化されたベスト型襦袢が得られるという利点が得られる。
【発明を実施するための最良の形態】
【００１７】
以下、この発明の実施の形態について図面を参照して説明する。図１は実施形態のベスト型襦袢の外観斜視図、図２は同上のベスト型襦袢の（ａ）正面図、（ｂ）背面図である。図示のように、この実施形態のベスト型襦袢Ｊは、首の周りを囲む衿１、１と、左右の前身頃２、２を有し、後身頃１０に続いて形成されており、袖は設けられていないが、前身頃２、２と後身頃１０とは肩山２Ｕで互いに繋がっており、また前身頃２、２と後身頃１０とは胴回りの脇位置で伸縮性の脇布４、４により所定長さの範囲で縫合、接続されている。前身頃２、２の上方の肩山２Ｕ端と脇布４、４上端との所定長さ間は、腕通し口３として形成されており、縫合されていないため、腕を通すことができる。なお、衿１とその下方の衿先１１は、図１では左側（図面では右側）の一部が裏返して表示されている。
【００１８】
図２の正面図、背面図に示すように、前身頃２、２と後身頃１０の全体の形状は、上にやや広い逆台形状に形成されている。また、脇布４、４の下端から前身頃２、２と後身頃１０の下端までは、この間を縫合しないことによりスリット４ｓ、４ｓが設けられている。脇布４、４は上部が狭く、下部になるほど広く、縦長の台形状に形成され、ウエストラインにフィットするようにしている。前身頃２、２、後身頃１０に使用される布は、この例では綿布であるが、この布の素材は、合成繊維などでも良い。右の前身頃２の表面と左の前身頃２の裏面には、その身丈の中間位置付近に面ファスナー５ａ、５ｂが縫合されて設けられており、面ファスナー５ａの長さは、前身頃２、２の幅より少し短い長さに、面ファスナー５ｂの長さは衿先１１の裏面の、面ファスナー５ａに対応する位置に、衿先の幅と同程度の長さに設定されている。図２の（ｂ）図に示すように、後身頃１０の中央位置には、衿１の中央後面の下端から所定幅で帯布７が後身頃１０の長さ方向に沿って所定長さに亘り設けられている。９は衿下端面である。
【００１９】
この帯布７は、その長さ途中の複数段の位置に縫い目７ａ、７ａ、７ａ・・で縫合され、帯布の長さ方向に沿っては縫合されずに両端が開いており、この各段の縫合線で区切られている通し部７ｃにベルト６が挿通される。なお、帯布７の下端には、最下段の縫い目７ａの下に少しだけ自由に延びた舌部７ｂが設けられている。この帯布７とベルト６は、後述するように、衣紋を抜くために使用される。ベルト６は、自然長さの２〜３倍まで延びる伸縮性の大きいゴム素材の繊維を使用したベルトであり、幅が３〜５ｃｍ程度で伸ばしたときに圧迫感の強くないものを使用している。このベルト６は、通し部７ｃの複数段（図示の例では主として下部からの３段）の位置のいずれかを身長に合わせて選択して通すが、左右の前身頃２、２を重ねて着付けの状態を身体に合わせて調整するが、上記面ファスナー５ａ、５ｂとは別個独立に設けられている。
【００２０】
又、ベルト６は、その両端に面ファスナー６ａ、６ｂが取り付けられ、前身頃２、２を重ねた状態で衿元が開くのをさらにベルト６により防止する。衿１、１の後面の中央位置の外面には所定の範囲に亘り面ファスナー８が設けられている。この面ファスナー８は、このベスト型襦袢Ｊの上に着物を重ねて羽織った時に、着物の衿と襦袢の衿が一致して重なり、かつ着崩れしないように位置を固定するために設けられている。図３の（ａ）図に衿１の断面図、（ｂ）図に図２の（ｂ）図の矢視IIIｂ−IIIｂからの帯布７の断面図、（ｃ）図に衿１の下端付近の部分拡大斜視図を示す。（ａ）図に示すように、衿１は４枚の布１ａ、１ｂ、１ｃ、１ｄが重ねられ、かつその全幅が半分に折り曲げられており、両方の端末が後身頃１０の上端を挟んで縫合線１２で重ねて縫合されている。最外面の布１ａが、布生地としては最も厚く、その下端面１Ｂは衿布の縫合端末でありそれぞれの布折り返し部７Ｅ、１０Ｅで折り返して縫合線１２で縫合されている。Ｓは、衿芯である。
【００２１】
帯布７は、（ｂ）図に示すように、衿下端面９の位置で後身頃１０の布に縫い目７ａ、７ａ、７ａ・・で縫合され、適宜位置にベルト６が挿通されている。（ｃ）図に示すように、衿１の表、裏のいずれも端末１Ｅ、１Ｅ’は、開放され、衿先１１に対して縫合されていない。このため、ベスト型襦袢Ｊの着用時にはこの開放状の端末１Ｅ’の隙間から衿芯Ｓが挿入される。襦袢の衿１は、一般に本衿の内側に伊達衿、その内側に替衿を重ねて衿を構成するが、この例の衿１ではこのような本衿、伊達衿、替衿を重ねる代わりに、幅広の４枚の布を重ね、かつその幅の半分の位置で長さ方向に沿って折り曲げてその片側が外に面するように衿を構成している。この場合、重ねられた最外側の衿布１ａは、その内側の衿布より厚い生地が用いられ、衿全体の高い品格を保持している。
【００２２】
この衿１は広幅に形成され、衿幅の露出面の幅を上に着る着物に対して自由に調整できる。また、衿１の内側には芯衿が挿入されるが、衿１が広幅のため外側に対して影響がなく、美しい外観を与える。衿芯は衿１の端末１Ｅの差込口から挿入される（図示せず）。なお、脇布４、４は縦、横両方向（二軸方向）に伸縮性のあるゴム性素材を含む繊維を用いて編織された布が用いられている。なお、上述したように、前身頃２、２と後身頃１０の全体の形状は、上にやや広い逆台形状に広がるように形成されているが、肩山２Ｕの両端は、着物を着用した際に、着物の袖と肩端が重ならないように、即ち肩山２Ｕ端が着物の袖と肩端の縫合位置から少し袖のように着物の袖内に突き出て、襦袢の布と着物の肩端の布が重ならないようにしている（肩山の段の跡が着物着用時に表から分からないように長めにする）。
【００２３】
上記の構成とした実施形態のベスト型襦袢Ｊは、衿１を主とする襦袢であり、この襦袢の上に「簡単着物」を重ねて着ることを前提としている。なお、「簡単着物」とは、この襦袢の上に着る着物であって、左右の前身頃を重ねて、身八つ口から引き出されたゴムベルトで着物を固定し、さらにお腹の位置に予めお太鼓を有する帯を着けるだけで、１人で簡単に着ることができる着物を意味するが、詳細な説明は省略する。そして、ベスト型の襦袢とすることにより少なくとも襦袢の上半部を有する形状とし、最小限の布素材を使用することにより外見上は伝統的な襦袢そのものを着用しているように見せ、かつベルト６を締め付けることにより衣紋抜きを可能としている。
【００２４】
また、脇布４、４を伸縮性布とし、スリット４ｓ、４ｓをその下方に設けているから、着用する人の体型が大きい人、小さい人に拘らずこの襦袢１種類（ワンタイプ、万能型）で全て対応できるように仕立てされた襦袢である。この襦袢では、蝶結びすることを前提とする紐を１本も使用せず（伝統的な蝶結びが出来ない人のため）、手の不自由な人や、紐を結ぶのが不得手な人でも他人に手伝ってもらうことなく自分で簡単に、スピーディーに着用でき、この襦袢の上に正式な着物を着用することを前提とする「簡単着物」がより着やすくなるようにしたものである。
【００２５】
このベスト型襦袢Ｊを着用する場合、予め衿１の内側には衿芯が挿入されているものとする。この状態で、図４に示すように、左右の前身頃２、２を開いた状態で着用し、次に図５の（ａ）図〜（ｃ）図に示すように、右の前身頃２の上に左前身頃２を重ねるが、このとき身体の大きい人、小さい人に応じて前身頃２を重ねる状態を浅く、或いは深く重ねることにより前身頃２、２の重なり具合を調整する。そして、自分の身体に適合する前身頃２、２の重なり状態で面ファスナー５ａ、５ｂを接合して面着させる。これにより、襦袢を自分の身体にフィットする状態とした後、さらにベルト６の両端を適宜の長さに引き伸ばして、その先端の面ファスナー６ａ、６ｂを重ねて接合し、面接合させる。
【００２６】
この場合、ベルト６はその締める高さ位置が、ベスト型襦袢Ｊの上に着用する着物の衿からはみ出ない高さ位置でなければならないが、これは予め着用する着物の大きさと自分の体型とから適宜の位置を設定して、ベルト６を複数段の通し部７ｃの内、適切な高さ位置の通し部７ｃに挿通させて置けばよい。そして、このベルト６を締め付けることにより、ベルト６が挿通されている位置の通し部７ｃを介して帯布７が縦方向に引き下げられ、このため帯布７が上部で連結されている衿１の後ろ面を引き下げて、衣紋抜きが必然的に行われる。さらに、なお十分に衣紋抜きをしたい場合は、帯布７の下端の舌部７ｂを左右いずれかの手で引き下げて衿を起こして十分に衣紋抜きをして、衿の見栄えが良い状態とすることができる。
【００２７】
上記ベルト６を締め付けることにより衣紋抜きを可能としているのは、左右の前身頃２、２を合わせるための面ファスナー５ａ、５ｂとは別個に、ゴム布製の伸縮度の高いベルト６と帯布７が衣紋抜きのために設けられているからであり、かつ最も有効に作用する位置を選択でき、このベルト６が着物を着用した際に着物の外から見えない位置を選択できるようにするためであって、このとき前身頃、後身頃としての布を介して帯布７を下方向に引き下げ、衣紋抜きをより有効に作用させるために、前身頃、後身頃としての布が最小限必要な形状として、ベスト型襦袢Ｊの形式を選択している。従って、面ファスナー５ａ、５ｂによる前身頃２、２の合わせをして着崩れを防止し、かつベルト６により衣紋抜きを確実に行うことを可能としている。
【００２８】
上記のようにしてベスト型襦袢Ｊを着用すると、着用が極限まで簡素化され、紐を１本も使用することなく、従って紐を結ぶことなく、単に前身頃を重ねて面接合し、かつベルト６を締めるだけで襦袢を身につけることができ、その上に着物を着るのであるが、その際にベスト型襦袢Ｊの衿後面のファスナー８に対して、予め着物側に縫着された面ファスナー（図示せず）を適切な位置に接合して面着し、衿位置でベスト型襦袢Ｊと着物をしっかりと連結しておくことにより着用後に活動する間に着崩れするのを防止する。この状態で、図６に示すように、その上に着物を着用して簡単に着物を着ることができる。
【００２９】
なお、面ファスナー５ｂは衿先１１の裏面の、面ファスナー５ａに対応する位置に、衿先１１の幅と同程度の長さに設定されているが、その第１の変形例として、図７の（ａ）図に示すように、その取り付け位置を衿先の裏面と、前身頃２の上下、幅方向のいずれにも中間位置となる位置付近の両位置に取り付けても良い。このほうが、さらに着用する人の体型が大きい人、小さい人の全てに、より広く対応できる。さらに、第２の変形例のベスト型襦袢の形状として、上記実施形態では、前身頃と後身頃を胴回りの脇位置で伸縮性の脇布４、４により所定長さの範囲で縫合、接続したものを示したが、これに代えて図７の（ｂ）図に示すように、伸縮性の脇布４、４を省略し、襦袢の下端から腕通し口３の下端付近まで縫合（点線で示す）したものとしても良い。この場合も、面ファスナー５ｂを衿先１１の裏面と前身頃２の上記中間位置の２箇所に設けると良い。
【００３０】
以上の実施形態では、図示のように、前身頃の両端を直線状に連続する形状としたが、さらに肩の上端部は外側に僅かに張り出す形状としても良く、反対に少し切り込んだ形状としても良い。又、この実施形態では前身頃を閉じ、衿１、１と前身頃２、２を本来の重なるべき状態に保持する手段として、蝶結びをする紐を一切使用しないとしているため、前身頃２、ベルト６の接合、連結手段として主に面ファスナー（マジックテープ（商標））を使用しているが、面ファスナー以外の手段としてフック、ボタンなどを使用しても良い。衿１は、七重に重ねられた衿布を半分に折り曲げて、厚みのある幅広で自由な幅に調整できる衿形状としたが、衿形状はこの形状に限らず、この発明の趣旨の範囲内のものであれば良く、この発明の趣旨の範囲内である限りこの発明の範囲に含まれる。
【実施例】
【００３１】
上記のベスト型襦袢Ｊの図示の例のサイズは次の通りである。
・身丈                  ５８ｃｍ
・前身頃（片幅）        ２６ｃｍ（下端）、２２ｃｍ（上端）
・後身頃                約５０ｃｍ（下端）、約６０ｃｍ（上端）（前幅より３．７ｃｍ短く）
・肩幅                  ３０ｃｍ
・衿幅                  ５．５ｃｍ
・衿先                  約２９ｃｍ（長さ）、約１０ｃｍ（幅）
・脇布                  ６ｃｍ（上端幅）、９ｃｍ（下端幅）、約２２ｃｍ（長さ）
・スリット              ９．４ｃｍ（下端からの長さ）
・帯布（衣紋抜き用）    １０ｃｍ
・面ファスナー（前身頃位置）  ５ｃｍ（幅）
・ベルト                ３〜５ｃｍ（幅）
【００３２】
以上の各寸法のベスト型襦袢Ｊは、衿布として純白の繊維による厚手の布を用いて高い品格の衿布を有する襦袢として製作され、これを着用すると短時間（約５〜６分）に１人で簡単に着用でき、このベスト型襦袢Ｊの上に「簡単着物」を着用すると、数分で着物の着付けが完了した。
【産業上の利用可能性】
【００３３】
この発明のベスト型襦袢は、首の周りを囲む衿、左右の前身頃、及び後身頃を有し、前身頃と後身頃とは脇位置で伸縮性の脇布により接続され、前身頃は、その身丈の中間位置付近に面接合する手段が設けられ、後身頃の中央位置には、衿の中央後面の下端から所定幅で帯布が設けられ、この帯布は、複数段の位置に縫い目で縫合され、この各段の縫合線で区切られている通し部にベルトが挿通され、少なくとも襦袢の上半部を有するベスト型の襦袢の形状とし、紐を１本も使用せず、手の不自由な人や、紐を結ぶのが不得手な人でも他人に手伝ってもらうことなく自分で簡単に、スピーディーに着用でき、この襦袢の上に正式な着物を着用することを前提とする「簡単着物」の着用が極限まで簡素化され、より着やすくなるようにするベスト型襦袢であり、簡単着物の着付けになくてはならないものであって、広く着物の下に着用する襦袢として利用される。
【図面の簡単な説明】
【００３４】
【図１】実施形態のベスト型襦袢の外観斜視図
【図２】同上のベスト型襦袢の（ａ）正面図、（ｂ）背面図
【図３】図２の（ａ）矢視IIIａ−IIIａからの断面図、（ｂ）矢視IIIｂ−IIIｂからの断面図、（ｃ）衿の下端付近の部分拡大斜視図
【図４】ベスト型襦袢の着用状態の説明図（初め）
【図５】ベスト型襦袢の着用状態の説明図（ベルトを締めた状態）
【図６】簡単着物を着た状態の外観斜視図
【図７】ベスト型襦袢の（ａ）第１変形例の正面図、（ｂ）第２変形例の正面図
【符号の説明】
【００３５】
１            衿
１Ｅ、１Ｅ’  衿の端末
２            前身頃
２Ｕ          肩山
３            腕通し口
４            脇布
５ａ、５ｂ    面ファスナー
６            ベルト
７            帯布
７ａ          縫い目
７ｂ          舌部
７ｃ          通し部
８            面ファスナー
９            衿下端面
１０          後身頃
１１          衿先
１２          スリット
【図１】
2009074204.tif 000003
【図２】
2009074204.tif 000004
【図３】
2009074204.tif 000005
【図４】
2009074204.tif 000006
【図５】
2009074204.tif 000007
【図６】
2009074204.tif 000008
【図７】
2009074204.tif 000009